(57)【要約】【課題】住戸の玄関子機に設けられたカメラを常時動作させ、その映像を私用映像と公用映像に分類して別々の録画メモリに保存し、公用映像を地域コミュニティ等の保安に役立てる。【解決手段】住戸２の玄関子機１１に設けられたカメラ１２で玄関付近を常時撮影する。撮影された映像は、玄関子機１１から居室親機２１へ送信される。居室親機２１は、カメラ１２の映像を訪問者の映る私用映像と訪問者の映らない公用映像に分類して、居室親機２１の２つの録画メモリに別々に保存する。あるいは、私用映像を居室親機２１の録画メモリに保存し、公用映像を増設親機の録画メモリに保存する。これにより、私用映像を公開することなく、公用映像のみを必要に応じて公的機関に提供し、地域コミュニティの保安に貢献する。【選択図】図１
2017092726.tif 000002
【特許請求の範囲】
【請求項１】
玄関周辺を撮影するカメラを備えた玄関子機と、前記カメラが撮影した映像を表示するモニタを備えた居室親機と、前記カメラが撮影した映像を保存する記憶手段とを含み、
前記居室親機が、前記カメラが撮影した映像を訪問者が映る私用映像と、訪問者が映らない公用映像とに分類する映像分類手段を備え、
前記記憶手段が、前記私用映像を録画する第１録画メモリと、前記公用映像を録画する第２録画メモリとを備えることを特徴とするインターホンシステム。
【請求項２】
前記映像分類手段は、訪問者が前記居室親機の呼び出しを行った後から居住者との通話が終了するまでの通話期間に撮影された映像を前記私用映像に分類し、前記通話期間を除く時間に撮影された映像を前記公用映像に分類することを特徴とする請求項１に記載のインターホンシステム。
【請求項３】
訪問者を検知するセンサを備え、
前記映像分類手段は、前記センサが訪問者を検知し続けている間に撮影された映像を前記私用映像に分類し、前記センサが訪問者を検知していないときの映像を前記公用映像に分類することを特徴とする請求項１に記載のインターホンシステム。
【請求項４】
前記居室親機から前記カメラの映像を受信する増設親機を備え、
前記第１録画メモリが前記居室親機に設けられ、前記第２録画メモリが前記増設親機に設けられていることを特徴とする請求項１〜３のいずれか一項に記載のインターホンシステム。
【請求項５】
前記第２録画メモリが、前記公用映像から所定枚数ごとに画像を間引きつつ録画することを特徴とする請求項１〜４のいずれか一項に記載のインターホンシステム。
【請求項６】
前記第２録画メモリにリムーバブル記憶媒体を使用したことを特徴とする請求項１〜５のいずれか一項に記載のインターホンシステム。
【請求項７】
前記公用映像を前記第２録画メモリから外部情報処理装置に転送するための通信手段を備えたことを特徴とする請求項１〜６のいずれかに記載のインターホンシステム。
【発明の詳細な説明】
【技術分野】
【０００１】
本発明は、玄関子機のカメラで住戸の玄関付近を撮影し、カメラの映像を用途に応じて別々の録画メモリに保存するインターホンシステムに関する。
【背景技術】
【０００２】
従来、玄関子機にカメラを装備し、居室親機にモニタを設けたインターホンシステムが知られている。しかし、この種のインターホンシステムによると、通常、居住者がモニタで確認できる映像は、玄関子機で呼出ボタンを押した訪問者の映像または居室親機のモニタボタンを押した場合の映像に限られていた。そこで、従来、玄関子機のカメラで住戸の玄関付近を常時撮影し、カメラの映像を居室親機の記憶部に順次バッファしておき、留守中の防犯に役立たせる技術が提案されている（特許文献１）。
【先行技術文献】
【特許文献】
【０００３】
【特許文献１】特開２００８−１８２６４７号公報
【発明の概要】
【発明が解決しようとする課題】
【０００４】
しかし、従来のインターホンシステムでは、カメラが常時撮影した映像を一つの記憶部に保存しているため、保存された大量の映像から必要な映像を取り出すことが困難であり、また、用途に応じて映像を区別することもできなかった。
【０００５】
このため、例えば、自宅の玄関付近を行き来する不審者等の映像を地域コミュニティの保安情報として公的機関に提供しようとする場合に、その住戸への訪問者や居住者を含むプライベートな映像までが公開されてしまうという問題があった。
【０００６】
そこで、本発明の目的は、玄関子機のカメラが撮影した映像を用途に応じ区別して録画できるインターホンシステムを提供することにある。
【課題を解決するための手段】
【０００７】
上記課題を解決するために、本発明は次のような手段を提供する。
（１）玄関周辺を撮影するカメラを備えた玄関子機と、カメラが撮影した映像を表示するモニタを備えた居室親機と、カメラが撮影した映像を保存する記憶手段とを含み、居室親機が、カメラが撮影した映像を訪問者が映る私用映像と、訪問者が映らない公用映像とに分類する映像分類手段を備え、記憶手段が、私用映像を録画する第１録画メモリと、公用映像を録画する第２録画メモリとを備えることを特徴とするインターホンシステム。
【０００８】
（２）映像分類手段は、訪問者が居室親機の呼び出しを行った後から居住者との通話が終了するまでの通話期間中に撮影された映像を私用映像に分類し、通話期間を除く時間に撮影された映像を公用映像に分類することを特徴とする（１）に記載のインターホンシステム。
【０００９】
（３）訪問者を検知するセンサを備え、映像分類手段は、センサが訪問者を検知し続けている間に撮影された映像を私用映像に分類し、センサが訪問者を検知していないときの映像を公用映像に分類することを特徴とする（１）に記載のインターホンシステム。
【００１０】
（４）居室親機からカメラの映像を受信する増設親機を備え、第１録画メモリが居室親機に設けられ、第２録画メモリが増設親機に設けられていることを特徴とする（１）〜（３）のいずれか一項に記載のインターホンシステム。
【００１１】
（５）第２録画メモリが、公用映像から所定枚数ごとに画像を間引きつつ録画することを特徴とする（１）〜（４）のいずれか一項に記載のインターホンシステム。
【００１２】
（６）第２録画メモリにリムーバブル記憶媒体を使用したことを特徴とする（１）〜（５）のいずれか一項に記載のインターホンシステム。
【００１３】
（７）公用映像を第２録画メモリから外部情報処理装置に転送するための通信手段を備えたことを特徴とする（１）〜（６）のいずれかに記載のインターホンシステム。
【発明の効果】
【００１４】
本発明のインターホンシステムによれば、訪問者が映る私用映像を第１録画メモリに保存し、訪問者が映らない公用映像を第２録画メモリへ保存しているため、私的映像を公開することなく、公的映像を例えば地域コミュニティの保安情報として利用できるという効果がある。
【００１５】
また、通話期間中あるいは訪問者検知中の映像を私用映像として分類しているため、玄関子機のカメラが常時撮影した映像を用途に応じ的確に区別して録画できるという効果もある。
【図面の簡単な説明】
【００１６】
【図１】本発明の一実施形態によるインターホンシステムを示す概念図である。
【図２】インターホンシステムの玄関子機と居室親機を示す外観図である。
【図３】玄関子機および居室親機の構成を示すブロック図である。
【図４】映像収集プログラムの一実施例を示すフローチャートである。
【図５】映像収集プログラムの別の実施例を示すフローチャートである。
【図６】増設親機を含むインターホンシステムの外観図である。
【図７】玄関子機、居室親機および増設親機の構成を示すブロック図である。
【図８】外部情報処理装置に接続されたインターホンシステムの概念図である。
【図９】保安サーバに接続されたインターホンシステムの概念図である。
【図１０】映像収集プログラムのさらに別の実施例を示すフローチャートである。
【発明を実施するための形態】
【００１７】
以下、本発明の一実施形態を図面に基づいて説明する。図１に示すインターホンシステム１は、複数の住戸２からなる地域コミュニティの保安に貢献できるように構成されている。各住戸２には玄関子機１１と居室親機２１が設けられ、玄関子機１１のカメラ１２がそれぞれの住戸２の玄関周辺を常に撮影し、常時撮影された映像が居住者の私用映像と、地域コミュニティの保安のために用いられる公用映像とに分類され、公用映像が必要に応じて自治会、市町村役場、警察、消防署、病院、学校等を含む公的機関に提供される。
【００１８】
図２、図３に示すように、玄関子機１１は、住戸２の玄関に設置され、玄関周辺を常時撮影するカメラ１２と、訪問者が居室親機２１を呼び出すための呼出ボタン１３と、訪問者が居住者と通話するためのマイク１７およびスピーカ１８を含む通話部１４と、玄関子機１１の全体を制御する制御部１５と、カメラ１２で撮影した映像およびマイク１７、スピーカ１８の音声情報を居室親機２１へ送信する子機インターフェース１６とから構成されている。なお、カメラ１２は常時撮影のために常に通電状態とされるが、カメラ１２を含む玄関子機１１への電源の供給・停止は居室親機２１で随時に切り替えることができる。
【００１９】
居室親機２１は、住戸２の居室等に設置され、玄関子機１１から映像および音声情報を受信する親機インターフェース２２と、居住者が訪問者と通話するためのマイク２９およびスピーカ３０を含む通話部１９と、玄関子機１１から受信した映像を映し出すモニタ２４と、子機カメラ１２が撮影した映像を保存する記憶部２５と、通話ボタン２０や終話ボタン１０等の各種ボタンを含む操作部２６と、居室親機２１の全体を制御する制御部２３とから構成されている。
【００２０】
記憶部２５には、第１録画メモリ２７と第２録画メモリ２８が設けられている。制御部２３は、子機カメラ１２が撮影した映像を、訪問者の映る私用映像と訪問者の映らない公用映像に分類する映像分類手段として機能し、私用映像を記憶部２５の第１録画メモリ２７に録画し、公用映像を第２録画メモリ２８に録画するようになっている。なお、第２録画メモリ２８には、公用映像の提供に便利なＳＤカード等のリムーバブルメモリを好ましく使用できる。また、第２録画メモリ２８の容量は、常時撮影された３日分の公用映像を保存できる程度が望ましい。容量が少ない場合は、静止画を定期的に保存するようにしてもよい。
【００２１】
上記構成のインターホンシステム１の動作について、図４に従って説明する。映像収集プログラムが開始されると、カメラ１２が玄関付近を常時撮影し（Ｓ１）、撮影された映像が玄関子機１１から居室親機２１に送信される（Ｓ２）。居室親機２１は、受信時に玄関子機１１が居室親機２１を呼出中であった、または玄関子機１１と居室親機２１が通話中であった場合に（Ｓ３：Ｙｅｓ）、カメラ１２の映像を訪問者が映る私的映像として第１録画メモリ２７に保存する（Ｓ４）。
【００２２】
ここで、「呼出中」は、例えば、玄関子機１１の呼出ボタン１３が押されてから居室親機２１の通話ボタン２０が押されるまでの期間、あるいは、玄関子機１１の呼出ボタン１３が押されてから居室親機２１の通話ボタン２０が押されることなく所定の時間が経過するまでの期間とすることができる。また、「通話中」は、例えば、居室親機２１の通話ボタン２０が押されてから居室親機２１の終話ボタン１０が押されるまでの期間とすることができる。
【００２３】
一方、居室親機２１が映像を受信した時に玄関子機１１が居室親機２１を呼出中でなかった場合、あるいは、玄関子機１１と居室親機２１が通話中でなかった場合は（Ｓ３：Ｎｏ）、子機カメラ１２の映像が訪問者の映らない公的映像として居室親機２１の第２録画メモリ２８に保存される（Ｓ５）。なお、第２録画メモリ２８への保存は、データ量を少なくするために、子機カメラ１２の撮像データから所定枚数ごとに画像を間引きつつ行っても良い。
【００２４】
したがって、この実施形態のインターホンシステム１によれば、玄関子機１１のカメラ１２で玄関付近を常時撮影し、訪問者が映る私用映像を第１録画メモリに、訪問者が映らない公用映像を第２録画メモリにそれぞれ別々に保存することができる。このため、私的映像は公開することなく居室親機２１の記憶部２５に残し、公的映像のみを地域コミュニティ内で共用して、子供を見守ったり、徘徊する老人の身元確認や不審人物の発見・通報を行ったり、必要に応じて公的機関に提供したりすることができる。
【００２５】
図５は、映像収集プログラムの別の実施例を示す。この実施例では、玄関子機１１が玄関付近の人を検知する人感センサ（図示しない）を備えている。そして、人感センサが訪問者を検知中である場合には（Ｓ３：Ｙｅｓ）、カメラ１２の映像が第１録画メモリ２７に保存され（Ｓ４）、人感センサ１７が訪問者を検知していない場合には（Ｓ３：Ｎｏ）、カメラ１２の映像が第２録画メモリ２８に保存される（Ｓ５）。したがって、この実施例によっても、子機カメラ１２が常時撮影した映像を用途に応じ的確に区別して録画することができる。
【００２６】
図６および図７に示すインターホンシステム１は、居室親機２１に加えて増設親機３１を備えている。増設親機３１には、映像および音声情報を居室親機２１から受信する増設親機インターフェース３２、居室親機２１と同様に機能する通話部４２、モニタ３４、記憶部３５、通話ボタン４０や終話ボタン４１等を含む操作部３６、および制御部３３から構成されている。そして、子機カメラ１２が撮影した映像のうち私用映像が居室親機２１の第１録画メモリ２７に録画され、公用映像が居室親機２１から増設親機３１に転送され、記憶部３５の第２録画メモリ（リムーバブルメモリ）３７に録画される。
【００２７】
したがって、上記構成によれば、子機カメラ１２が常時撮影した映像のうち公用映像を居室親機２１から増設親機３１の記憶部２５に移し、居室親機２１のメモリ負担を軽減することができる。また、不正侵入者が犯行を隠すために居室親機２１を持ち去った場合でも、その侵入者が映っている可能性の高い映像を増設親機３１の第２録画メモリ３７に残しておくことができる。
【００２８】
図８に示すインターホンシステム１では、常時撮影された映像のうち公用映像が自宅にある外部情報処理装置４に保存される。図８（ａ）に示すインターホンシステム１では、居室親機２１の第２録画メモリ２８（図３参照）に保存された公用映像が通信手段としてのルータ３を介して、有線または無線により自宅ＰＣやＮＶＲ（ネットワーク・ビデオ・レコーダー）などの外部情報処理装置４に転送される。図８（ｂ）に示すインターホンシステム１では、増設親機３１の第２録画メモリ３７（図７参照）に保存された公用映像がルータ３を介して自宅ＰＣなどの部情報処理装置４に転送される。
【００２９】
したがって、この実施例のインターホンシステム１によれば、情報量が増大する可能性のある公用映像を居室親機２１や増設親機３１から外部情報処理装置４の大容量記憶媒体に移転し、居室親機２１や増設親機３１のメモリ負担を軽減できるとともに、外部情報処理装置４に接続された大画面モニタで公用映像をより詳細に確認することもできる。
【００３０】
図９に示す実施例では、複数の住戸２に設備されたインターホンシステム１（図１参照）が通信手段としてのルータ３によりインターネット５を介して地域コミュニティの保安サーバ６に接続されている。保安サーバ６は、警備会社等によって管理される外部情報処理装置であって、玄関子機１１のカメラ１２が常時撮影した映像のうち公用映像を居室親機２１または増設親機３１から受け取り、その地域コミュニティの安全維持に役立たせるとともに、警察や市町村役場等の公的機関から受け取った通知情報を各住戸２の居室親機２１または増設親機３１に提供し、それぞれのモニタ２４，３４に表示できるように構成されている。
【００３１】
図１０は、図９に示しインターホンシステム１で実行される映像収集プログラムを示す。ここでは、居室親機２１や増設親機３１が呼出中または通話中でなかった場合に（Ｓ３：Ｎｏ）、公用映像が居室親機２１または増設親機３１の第２録画メモリ２８，３７に保存されたのち（Ｓ５）、親機２１，３１から保安サーバ６に転送される（Ｓ６）。なお、保安サーバ６への映像転送は、親機２１，３１が映像を受信したときに随時行っても良いし、親機２１，３１で一定時間蓄積した後に行っても良い。また、保安サーバ６への映像転送は、所定枚数ごとに画像を間引きつつ行っても良い。
【００３２】
その他、本発明は、上記実施形態に限定されるものではなく、例えば、第１録画メモリに保存された私用映像および／または第２録画メモリに保存された公用映像を所定時間が経過した時点で自動的に消去したり、私用映像と公用映像の分類にあたって画像処理技術を適用したりするなど、発明の趣旨を逸脱しない範囲で、各部の構成を適宜変更して実施することも可能である。
【符号の説明】
【００３３】
１      インターホンシステム
２      住戸
３      ルータ
４      外部情報処理装置
６      保安サーバ
１１    玄関子機
１２    カメラ
１３    呼出ボタン
１４    通話部
１５    制御部
１６    子機インターフェース
２１    居室親機
２２    親機インターフェース
２３    制御部
２４    モニタ
２５    記憶部
２６    操作部
２７    第１録画メモリ
２８    第２録画メモリ
３１    増設親機
３２    増設親機インターフェース
３３    制御部
３４    モニタ
３５    記憶部
３６    操作部
３７    第２録画メモリ
【図１】
2017092726.tif 000003
【図２】
2017092726.tif 000004
【図３】
2017092726.tif 000005
【図４】
2017092726.tif 000006
【図５】
2017092726.tif 000007
【図６】
2017092726.tif 000008
【図７】
2017092726.tif 000009
【図８】
2017092726.tif 000010
【図９】
2017092726.tif 000011
【図１０】
2017092726.tif 000012